(57)【要約】【課題】ウイッグは、従来消臭スプレーと手洗いによる方法で手入れしていた、しかし、手洗いすると毛髪が絡んで解けなくなり、ドライヤーによる乾燥では高温にして短時間乾燥させるため、ネットが早く傷みもろくなると言う問題を有していた。  【解決手段】処理槽内部に置いたウイッグに、下方からオゾンを含む空気を接触させて、ウイッグを洗浄殺菌消臭する装置であって、オゾン発生装置と該オゾン発生装置により発生させたオゾンを含んだ空気を、パイプを通じて処理槽内に送り出す送風装置と、前記処理槽内に前記パイプに連結されたオゾンを含む空気を吹き出させる気泡発生体が前記処理槽の底部に設けられるとともに、前記気泡発生体の上部にウイッグ支持具が設けられたウイッグ洗浄殺菌消臭乾燥装置。【選択図】    図1
2005273035.tif 000002
【特許請求の範囲】
【請求項１】
処理槽内部に置いたウイッグに、下方からオゾンを含む空気を接触させて、ウイッグを洗浄殺菌消臭する装置であって、オゾン発生装置と該オゾン発生装置により発生させたオゾンを含んだ空気をパイプを通じて処理槽内に送り出す送風装置と、前記処理槽内に前記パイプに連結されたオゾンを含む空気を、吹き出させる気泡発生体が、前記処理槽の底部に設けられるとともに、前記気泡発生体の上部にウイッグ支持具が設けられたことを特徴とするウイッグ洗浄殺菌消臭装置。
【請求項２】
請求項１記載のウイッグ洗浄殺菌消臭装置において、前記処理槽の上部にヒーターを内蔵した温風発生装置が設けられたことを特徴とするウイッグ洗浄殺菌消臭乾燥装置。
【発明の詳細な説明】
【技術分野】
【０００１】
この発明は、オゾン発生装置を用いて、汚れたウイッグ等を簡単に洗浄殺菌乾燥させるウイッグ等洗浄殺菌消臭乾燥装置に関する。
【背景技術】
【０００２】
従来の手入れ方法は、消臭スプレーによる消臭手入れ、又は、天日干しによる殺菌。さらに、洗う場合は、ウイッグをドライヤーで乾かすしか方法がなく、定期的にメーカーに手入れを依頼している。
洗浄はウイッグを手に持ち、手洗いで自分の髪と同じようにシャンプーを行いドライヤーで乾燥している。
尚、先行技術文献を調査したが、関連する文献は、発見出来ず、又,現在ウイッグに対して洗浄殺菌消臭乾燥を目的に開発された装置も存在しないと思われる。
【発明の開示】
【発明が解決しようとする課題】
【０００３】
前記した従来の手入れ方法の内、消臭スプレーや天日干しを行う方法では、スプレーが匂う事や高価な事もあるが、殺菌や乾燥が出来ないし、天日により殺菌するには、ウイッグ利用者は外に干す事にためらいがあり、外に干す事は出来ないと言う問題を有していた。      
【０００４】
又、消臭スプレーと手洗いによる方法では、手洗いすると毛髪が絡んで解けなくなり、ドライヤーによる乾燥では高温にして短時間乾燥させるため、ネットが早く傷みもろくなると言う問題を有していた。  
【０００５】
本発明は、従来の方法の有するこのような問題点に鑑みてなされたものであり、その目的とする所は、ウイッグ等を利用者が使用しない時に、ウイッグを洗って殺菌乾燥させる事が出来るだけではなく、日常はウイッグ使用後、洗浄しなくても入れてスイッチを押すだけで、翌朝使用する時はオゾンエアーと温風のみで、リフレッシュしたウイッグ等を利用できるウイッグ等洗浄殺菌消臭乾燥装置を提供しようとするものである。
【課題を解決するための手段】
【０００６】
本発明のウイッグ洗浄殺菌消臭乾燥装置は、塩素の数倍の殺菌力を持つと言われるオゾンを、オゾン発生装置で発生させ、水中や気層中でオゾン気泡を放出しウイッグを洗浄殺菌消臭する装置である。すなわち、本発明は、処理槽内部に置いたウイッグに、下方からオゾンを含む空気を接触させて、ウイッグを洗浄殺菌消臭する装置であって、オゾン発生装置と該オゾン発生装置により発生させたオゾンを含んだ空気を、パイプを通じて処理槽内に送り出す送風装置と、前記処理槽内に前記パイプに連結されたオゾンを含む空気を吹き出させる気泡発生体が前記処理槽の底部に設けられるとともに、前記気泡発生体の上部にウイッグ支持具が設けられたウイッグ洗浄殺菌消臭装置である。
なお、前記処理槽の上部にヒーターを内蔵した温風発生装置を設けて、ウイッグを乾燥出来るようにしても良い。
【発明の効果】
【０００７】
本発明は、以上説明したように構成されているので、以下に記載されるような効果を奏する。
【０００８】
オゾン気泡で洗浄する事で、洗浄と同時に殺菌できる事と共に、毛髪が絡みにくく、ネットが痛まないのでウイッグを長持ちさせる事が出来る。
【０００９】
オゾンを含んだ空気の殺菌消臭効果を利用する事により、汗や雑菌で汚れたウイッグ等を手に持たずに殺菌消臭処理出来、しかも、装置にタイマー等を設けた時は、寝ている間にリフレッシュする事が出来る。
【００１０】
オゾンを含んだ空気と温風を吹き込む事により、手に持ったドライヤーを使用する事無く、スイッチ一つで自動的に殺菌乾燥させる事が出来る。
【００１１】
オゾンは、自然界に存在する物質の中で最も消臭力が高く、0.5PPM以下であれば害がない安全な物質である事から、本発明の装置は、オゾン発生濃度を0.5PPM以下に抑える事で、ウイッグに付いたタバコの臭いや香水の臭い等、ほとんどの臭いを元から安全に消臭する事が出来る。
【００１２】
梅雨時など、本発明のウイッグ等洗浄殺菌消臭乾燥装置で処理する事により予備のウイッグが不要になると共に、現在、予備のウイッグを保有していても予備のウイッグを殺菌消臭処理する事でカビが発生しなくなると言う効果を発揮するものである。
【発明を実施するための最良の形態】
【００１３】
発明の実施の形態について図面を利用して説明する。
【００１４】
図1は本発明の概要を説明する図面である。図１、図2に於いて、ステンレス又はガラスやプラスチック等で250ｍｍ×250ｍｍ×250ｍｍ程度に作成した処理槽8の低部の中に、一辺が10ｃｍ高さ1ｃｍ程度のステンレス等で作成した立方体や球体の上面に複数の穴を設けた気泡発生体4（気泡発生体4に設ける穴は直径1ｍｍ以下で穴は多い方が好ましい）を設ける。そして、気泡発生体4と、既存の紫外線ランプ(低圧水銀ランプ)方式、又は、無声放電（コロナ放電）方式のオゾン発生装置2（オゾン発生装置2は、処理槽8の中でオゾン濃度が0.05PPM〜0.5PPM確保する事が出来るオゾン発生装置）をゴム又はステンレスで出来たパイプ3で接続する。さらに、プロペラファン又はロータリーポンプを用いた送風装置1を前記パイプ3でオゾン発生装置2に連結する。
さらに処理槽8の中に設けた気泡発生体4の上部に、ステンレス又はプラスチック等で出来たウイッグ支持具5を取付ける。そして、前記処理槽8の上部には、ニクロム線方式やパネル方式の熱源にプロペラファンで送風する温風発生装置7を取付ける事が出来る。
尚、前記ウイッグ支持具5はネット状でも支柱式でも気泡が通過できれば構わない。又、気泡発生体4は、空気が分散できれば軽石状のものでもハニカム状でも構わない。
【００１５】
図1は、水を入れた洗浄状態の図であり、図2は、オゾンを含んだ空気で殺菌消臭乾燥する状態の図である。
【００１６】
図3、図4は、本発明の装置の外観を示す立体図と透視図である。洗浄タイマースイッチ10は、水を入れて洗浄する時使用する。洗浄には前記オゾン発生装置2と同時に超音波洗浄装置（図示せず）を併用すると効果が倍増する。洗浄時間の表示はオゾン発生時間表示14に表示させる事が出来る。自動運転タイマースイッチ12は、水を入れずに殺菌消臭及び乾燥する時使用する。前記オゾン発生時間表示14と乾燥時間表示11に表示させた時間の設定は所要に決めた時間に設定する事が出来る。ウイッグ押さえ蓋13は、設ける事でウイッグが移動する事を防止することが出来て好ましい。
【００１７】
次に本発明装置の使用方法を説明する。図1で示すように、水を前記処理槽8の中に入れ、使用後のウイッグ6を前記処理槽8の中に有る前記ウイッグ支持具5に乗せ、前記ウイッグ押さえ蓋13を閉めて、前記洗浄タイマースイッチ10を押すと洗浄が開始される。洗浄時間は、前記洗浄タイマースイッチ10を1回押すと10分、2回押すと20分、3回押すと40分洗浄する事が出来る。所要に設定した洗浄時間が過ぎるとオゾン気泡が停止し洗浄が終了する。洗浄が終了したら水抜きコック9により、前記処理槽8の中の水を抜き取る。
【００１８】
次に、水を用いて洗浄した後や水を用いて洗浄しない場合は、図2で示すように、使用後のウイッグ6を前記処理槽8の中の前記ウイッグ支持具5に乗せ、前記自動運転タイマースイッチ12を押す。オゾン発生時間は、隠しタイマースイッチ（図示せず）で1時間毎に最長6時間まで設定する事が出来る。又、乾燥時間は、前記自動運転タイマースイッチ12を1回押すと10分、2回押すと20分、3回押すと40分乾燥設定する事が出来る。所要に設定した殺菌消臭及び乾燥時間が過ぎると殺菌消臭及び乾燥のすべての工程が終了する。尚、殺菌消臭及び乾燥の工程では、前記ウイッグ押さえ蓋13は、閉じても開けていても構わない。
【図面の簡単な説明】
【００１９】
【図１】処理槽に水を入れたウイッグの洗浄中の図である。
【図２】処理槽に水を入れない殺菌乾燥中を示す図である。
【図３】本装置の外観を示す立体図である。
【図４】本装置の透視図である
【符号の説明】
【００２０】
1  送風装置
2  オゾン発生装置
3  パイプ
4  気泡発生体
5  ウイッグ支持具
6  ウイッグ
7  温風発生装置
8  処理槽
9  水抜きコック
10  洗浄タイマースイッチ
11  乾燥時間表示
12  自動運転タイマースイッチ
13  ウイッグ押さえ蓋
14  オゾン発生時間表示
【図１】
2005273035.tif 000003
【図２】
2005273035.tif 000004
【図３】
2005273035.tif 000005
【図４】
2005273035.tif 000006